(57)【要約】【課題】  所定の地域内の様々な場所で撮影されたコンテンツが、応募されやすいコンテストの仕組みを提供する。【解決手段】  情報処理端末と通信可能に接続し、地図情報と、コンテストの応募条件となる撮影場所情報と、コンテストに応募された応募済コンテンツとを管理する情報処理装置であって、前記情報処理端末から、前記コンテストに応募するための候補コンテンツの撮影場所情報である候補撮影場所情報を受けつける候補撮影場所情報受付手段と、前記情報処理端末に表示させるための表示画面であって、地図上に応募済コンテンツの撮影場所情報と候補撮影場所情報とを識別可能に表示するための表示画面を生成する生成手段と、地図上に表示された候補撮影場所情報を、コンテストに応募するための応募コンテンツとして受付ける応募コンテンツ指定受付手段とを備えることを特徴とする情報処理装置。【選択図】  図３
2017120487.tif 000002
【特許請求の範囲】
【請求項１】
情報処理端末と通信可能に接続し、地図情報と、コンテストの応募条件となる撮影場所情報と、前記撮影場所情報に基づく応募条件のコンテストに応募された応募済コンテンツとを管理する情報処理装置であって、
前記情報処理端末から、前記コンテストに応募するための候補となる候補コンテンツの撮影場所情報である候補撮影場所情報を受けつける候補撮影場所情報受付手段と、
前記情報処理端末に表示させるための表示画面であって、前記地図情報に基づく地図上に、前記応募済コンテンツの撮影場所情報と前記候補撮影場所情報受付手段で受付けた前記候補撮影場所情報とを識別可能に表示するための表示画面を生成する生成手段と、
前記生成手段で生成された表示画面を通じ、前記地図上に識別可能に表示された候補撮影場所情報を、前記コンテストに応募するための応募コンテンツとして受付ける応募コンテンツ指定受付手段とを備えることを特徴とする情報処理装置。
【請求項２】
前記応募コンテンツ指定受付手段は、受付ける応募コンテンツの撮影場所情報を前記生成手段で生成される前記表示画面に表示するか否かの指定を受付け、
前記生成手段で生成される前記表示画面の前記地図上には、前記応募コンテンツ指定受付手段で受付けた応募コンテンツの撮影場所情報のうち、表示画面に識別可能に表示する旨の指定を受付けた応募コンテンツの撮影場所情報を識別可能に表示することを特徴とする請求項1に記載の情報処理装置。
【請求項３】
前記情報処理装置は、前記コンテストの応募コンテンツとして受けつけるべき撮影場所情報の範囲の情報である応募条件を管理し、
前記生成手段で生成された表示画面に表示される候補撮影場所情報のうち、前記応募条件を満たしていない候補コンテンツの候補撮影場所情報は、コンテストへの応募ができない旨が識別可能に表示されることを特徴とする請求項１または２に記載の情報処理装置。
【請求項４】
前記生成手段で生成された表示画面に表示される候補撮影場所情報のうち、前記コンテストへの応募が済んでいる候補コンテンツの候補撮影場所情報は、応募済みである旨が識別可能に表示されることを特徴とする請求項１乃至３のいずれか１項に記載の情報処理装置。
【請求項５】
前記生成手段で生成された表示画面に表示される候補撮影場所情報は、オブジェクトであることを特徴とする請求項１乃至４のいずれか１項に記載の情報処理装置。
【請求項６】
情報処理端末と通信可能に接続し、地図情報と、コンテストの応募条件となる撮影場所情報と、前記撮影場所情報に基づく応募条件のコンテストに応募された応募済コンテンツとを管理する情報処理装置における制御方法であって、
前記情報処理装置の候補撮影場所情報受付手段が、前記情報処理端末から、前記コンテストに応募するための候補となる候補コンテンツの撮影場所情報である候補撮影場所情報を受けつける候補撮影場所情報受付工程と、
前記情報処理装置の生成手段が、前記情報処理端末に表示させるための表示画面であって、前記地図情報に基づく地図上に、前記応募済コンテンツの撮影場所情報と前記候補撮影場所情報受付工程で受付けた前記候補撮影場所情報とを識別可能に表示するための表示画面を生成する生成工程と、
前記情報処理装置の応募コンテンツ指定受付手段が、前記生成手段で生成された表示画面を通じ、前記地図上に識別可能に表示された候補撮影場所情報を、前記コンテストに応募するための応募コンテンツとして受付ける応募コンテンツ指定受付工程とを含むことを特徴とする制御方法。
【請求項７】
情報処理端末と通信可能に接続し、地図情報と、コンテストの応募条件となる撮影場所情報と、前記撮影場所情報に基づく応募条件のコンテストに応募された応募済コンテンツとを管理する情報処理装置で読み取り実行が可能なプログラムであって、
前記情報処理装置を、
前記情報処理端末から、前記コンテストに応募するための候補となる候補コンテンツの撮影場所情報である候補撮影場所情報を受けつける候補撮影場所情報受付手段と、
前記情報処理端末に表示させるための表示画面であって、前記地図情報に基づく地図上に、前記応募済コンテンツの撮影場所情報と前記候補撮影場所情報受付手段で受付けた前記候補撮影場所情報とを識別可能に表示するための表示画面を生成する生成手段と、
前記生成手段で生成された表示画面を通じ、前記地図上に識別可能に表示された候補撮影場所情報を、前記コンテストに応募するための応募コンテンツとして受付ける応募コンテンツ指定受付手段として機能させることを特徴とするプログラム。
【請求項８】
情報処理端末と通信可能に接続し、地図情報と、コンテストの応募条件となる撮影場所情報と、前記撮影場所情報に基づく応募条件のコンテストに応募された応募済コンテンツとを管理する情報処理システムであって、
前記情報処理端末から、前記コンテストに応募するための候補となる候補コンテンツの撮影場所情報である候補撮影場所情報を受けつける候補撮影場所情報受付手段と、
前記情報処理端末に表示させるための表示画面であって、前記地図情報に基づく地図上に、前記応募済コンテンツの撮影場所情報と前記候補撮影場所情報受付手段で受付けた前記候補撮影場所情報とを識別可能に表示するための表示画面を生成する生成手段と、
前記生成手段で生成された表示画面を通じ、前記地図上に識別可能に表示された候補撮影場所情報を、前記コンテストに応募するための応募コンテンツとして受付ける応募コンテンツ指定受付手段とを備えることを特徴とする情報処理システム。
【請求項９】
情報処理端末と通信可能に接続し、地図情報と、コンテストの応募条件となる撮影場所情報と、前記撮影場所情報に基づく応募条件のコンテストに応募された応募済コンテンツとを管理する情報処理システムにおける制御方法であって、
前記情報処理システムの候補撮影場所情報受付手段が、前記情報処理端末から、前記コンテストに応募するための候補となる候補コンテンツの撮影場所情報である候補撮影場所情報を受けつける候補撮影場所情報受付工程と、
前記情報処理システムの生成手段が、前記情報処理端末に表示させるための表示画面であって、前記地図情報に基づく地図上に、前記応募済コンテンツの撮影場所情報と前記候補撮影場所情報受付工程で受付けた前記候補撮影場所情報とを識別可能に表示するための表示画面を生成する生成工程と、
前記情報処理システムの応募コンテンツ指定受付手段が、前記生成手段で生成された表示画面を通じ、前記地図上に識別可能に表示された候補撮影場所情報を、前記コンテストに応募するための応募コンテンツとして受付ける応募コンテンツ指定受付工程とを含むことを特徴とする制御方法。
【請求項１０】
情報処理端末と通信可能に接続し、地図情報と、コンテストの応募条件となる撮影場所情報と、前記撮影場所情報に基づく応募条件のコンテストに応募された応募済コンテンツとを管理する情報処理システムで読み取り実行が可能なプログラムであって、
前記情報処理システムを、
前記情報処理端末から、前記コンテストに応募するための候補となる候補コンテンツの撮影場所情報である候補撮影場所情報を受けつける候補撮影場所情報受付手段と、
前記情報処理端末に表示させるための表示画面であって、前記地図情報に基づく地図上に、前記応募済コンテンツの撮影場所情報と前記候補撮影場所情報受付手段で受付けた前記候補撮影場所情報とを識別可能に表示するための表示画面を生成する生成手段と、
前記生成手段で生成された表示画面を通じ、前記地図上に識別可能に表示された候補撮影場所情報を、前記コンテストに応募するための応募コンテンツとして受付ける応募コンテンツ指定受付手段として機能させることを特徴とするプログラム。
【発明の詳細な説明】
【技術分野】
【０００１】
本願発明は、情報処理装置、システム、及びそれらの制御方法、プログラムに関する。
【背景技術】
【０００２】
近年、特許文献１に示すような、誰もが簡単にインターネット等通信ネットワーク上でコンテストを開催できる場を提供する技術が普及し、静止画や動画のコンテスト（特にフォトコンテスト）を行うウエブサイトが人気を博している。そして、このような仕組みは、低コストで広範囲に渡るコンテストの周知が可能であるため、自治体の観光課やレジャー施設等が、ＰＲ活動を目的として利用するケースが多い。そしてこのような目的でコンテストを開催する場合、主催者は、ＰＲしたい地域を応募条件としてコンテストを開催することになる。
【０００３】
また、近年では、スマートフォン等のＧＰＳ機能付きのデジタル撮影機器の普及によって、撮影した写真データには、撮影場所の情報がメタデータ（付加情報、メタ情報）として付加された画像データが増えてきている。そして、このような情報を利用すると、特許文献２に示すように、撮影場所を付加情報として有する画像を、撮影された場所を地図上に表示することが可能になる。
【０００４】
そして、上記の技術を利用して、図１０のような仕組みが提供されている。この仕組を用いれば、コンテストの「入賞作品」とその撮影場所とを、分かりやすく公開することができるため、ＰＲしたい地域のどの場所に、どんな風光明媚な絶景ポイントであるのかを、分かりやすく宣伝できる。
【先行技術文献】
【特許文献】
【０００５】
【特許文献１】特開２００２−１６９９２７号公報
【特許文献２】特開２００５−１０７０６１号公報
【発明の概要】
【発明が解決しようとする課題】
【０００６】
そこで主催者は、上記の目的を達するべく、できるだけ広く様々な場所で撮影された写真のなかから優れた作品を入賞作品として選別し、これを活用して応募条件の地域の魅力を幅広くＰＲしようとする。
【０００７】
しかしながら、幅広く優れた作品を入賞させるためには、まず、様々な撮影場所で撮影された写真が集まることが大前提となる。一方で、フォトコンテストに応募される作品は、有名で手軽に良い写真を撮りやすい撮影スポットで撮影された写真が多くなる傾向がある。
【０００８】
なぜならば、現在の仕組みでは、応募者は、撮影・応募時に、他の応募者がそれぞれどんな場所で写真を撮影しているのかを知ることができないからである。多くの応募者は、他の人の応募する作品がどんな場所で撮られたのかを意識することはないので、有名で手軽に良い写真を撮りやすい撮影スポットで撮影された写真が多くなる傾向が生まれてしまうのである。
【０００９】
つまり、もし、それぞれの応募者が応募時にどの場所で撮られた作品が集中しているのかを知ることができれば、応募者は入賞を狙うべく、競争過多な撮影スポットをあえて避け、差別化の測りやすい自分だけの魅力的な場所を探すことを検討するようになる。つまり、各応募者が他の応募者と違う撮影場所で撮影した作品を応募するようになり、同じ撮影場所で撮影された作品ばかりが応募される状況が、緩和されることが期待できる。
このような背景から、「募集条件の地域内に」おいて幅広く優れた作品が集めることのできる仕組みが求められている。
一方、上記それぞれの先行技術を検討しても、そのような仕組みを想起することはできない。
特許文献１は、単に容易にウエブ上でコンテストを開催するための仕組みに過ぎない。
特許文献２は、単に撮影場所の情報を有する画像を地図上に表示する方法に過ぎない。
図１０も、特許文献２と同様で、単にフォトコンテストの「入賞作品」撮影場所を、地図上に表示する仕組みに過ぎない。
つまり、いずれの仕組みであっても「募集条件の地域内に」おいて幅広く作品が集めることのできるものではない。
本発明は、所定の地域内の様々な場所で撮影されたコンテンツが、応募されやすいコンテストの仕組みを提供する。
【課題を解決するための手段】
【００１０】
本発明は、情報処理端末と通信可能に接続し、地図情報と、コンテストの応募条件となる撮影場所情報と、前記撮影場所情報に基づく応募条件のコンテストに応募された応募済コンテンツとを管理する情報処理装置であって、前記情報処理端末から、前記コンテストに応募するための候補となる候補コンテンツの撮影場所情報である候補撮影場所情報を受けつける候補撮影場所情報受付手段と、前記情報処理端末に表示させるための表示画面であって、前記地図情報に基づく地図上に、前記応募済コンテンツの撮影場所情報と前記候補撮影場所情報受付手段で受付けた前記候補撮影場所情報とを識別可能に表示するための表示画面を生成する生成手段と、前記生成手段で生成された表示画面を通じ、前記地図上に識別可能に表示された候補撮影場所情報を、前記コンテストに応募するための応募コンテンツとして受付ける応募コンテンツ指定受付手段とを備えることを特徴とする。
【発明の効果】
【００１１】
このように設けることで、所定の地域内の様々な場所で撮影されたコンテンツが、応募されやすいコンテストの仕組みを提供することができる。
【図面の簡単な説明】
【００１２】
【図１】本発明のシステム構成の一例を示した構成図である。
【図２】本発明のハードウエアの構成の一例を示し他構成図である。本発明のフローチャートの一例を示した構成図である。
【図３】応募コンテンツ選択画面の一例を示した構成図である。
【図４】、応募画像の詳細情報の入力を受付ける入力画面の一例を示す構成図である。
【図５】情報処理装置１２０が備えるデータテーブルの一例を示した構成図である。
【図６】本発明のメインフローの一例を示した構成図である。
【図７】本発明のサブフローの一例を示した構成図である。
【図８】候補画像を選択する画面の一例を示した構成図である。
【図９】ログイン画面の一例を示した構成図である。
【図１０】コンテストの「入賞作品の撮影場所」を地図上に一覧表示する仕組みの一例を示した構成図である。
【発明を実施するための形態】
【００１３】
以下、図面を参照して、本発明の実施形態を詳細に説明する。
【００１４】
図１は、本発明のシステム構成の一例を示した構成図である。審査者情報処理端末１１０と情報処理装置１２０と応募者情報処理端末１３０とが、通信ネットワーク１４０を介して通信可能に接続される情報処理システムである。また、情報処理装置１２０には、管理者情報処理端末１５０が通信可能に接続される。
【００１５】
情報処理装置１２０は、静止画や動画のコンテンツを審査して入賞作品を決定するコンテストのサイトを管理する管理サーバである（情報処理装置）。本発明では最もポピュラーなコンテストである写真コンテスト（フォトコンテスト）を例として挙げているが、特に写真に限定するものではない（本実施例では静止画と動画の両方を含め「コンテンツ」あるいは「作品」と呼ぶ）。コンテンツの具体的な一例として、「写真」「画像」「静止画」「動画」といった表現を用いる場合もあるが、「コンテンツ」（または「作品」）に置換えて考えられるものとする。
【００１６】
また、情報処理装置１２０は、コンテストの応募条件として応募コンテンツとして受けつける撮影場所の範囲を定めた「撮影場所情報」、地図情報、コンテストに応募された「応募済コンテンツ」、を管理・記憶する。地図情報は、記憶せずに他のサイト（たとえば、地図情報を提供するサイト）から情報を引いてきてもよく、地図情報の「管理」の概念に含むものとする。
【００１７】
また、情報処理装置１２０は、応募者情報処理端末１３０と通信可能に接続し、コンテストの応募者から撮影場所が特定できる形（例えば付加情報として撮影場所を特定する情報を持っている等）で、応募コンテンツを受付けて管理・記憶する。
【００１８】
また、情報処理装置１２０は、審査者情報処理端末１１０通信可能へコンテンツ情報を含む審査を行うための表示画面を生成し、審査者情報処理端末１１０へ送信する。そして、審査者情報処理端末１１０が表示画面を通じて受付けたそれぞれの応募済コンテンツの審査結果を受付け、応募済コンテンツと対応付けて審査結果を記憶・管理してもよい。
【００１９】
審査者情報処理端末１１０は、情報処理装置１２０で管理するコンテンツを表示部２１０に表示する。そして、審査者情報処理端末１１０は、審査画面を通じて審査者から入賞作品を決めるための審査結果の入力を受付ける。また、審査者情報処理端末１１０は、具体的には例えば、パーソナルコンピュータ（ＰＣ）やスマートフォン、タブレット等の入出力の機能と通信機能とを備えた情報処理端末が想定される。これは、情報処理装置１２０、応募者情報処理端末１３０、管理者情報処理端末１５０も同様である。また、審査者情報処理端末１１０は、本実施例においては、審査者は１人で図１の審査者情報処理端末１１０も１つだけであるが、複数であってもよい。つまり、通信ネットワーク１４０に接続された審査者情報処理端末１１０は、複数存在してもよい。また、情報処理装置１２０が、審査者情報処理端末１１０を兼ねていてもよい。
【００２０】
応募者情報処理端末１３０は、コンテストに作品を応募したい応募者が、通信ネットワーク１４０を介して情報処理装置１２０に作品を応募するために用いる情報処理端末である。応募者情報処理端末１３０は、表示部２１０に表示される表示画面を通じて応募者（ユーザ）がコンテストに応募したいコンテンツの指定を受けつけて、情報処理装置１２０に送信する。応募者情報処理端末１３０は、本実施例においては１つしか描かれていないが、コンテストであるので、１つでなく複数存在してもよい。
【００２１】
通信ネットワーク１４０は、審査者情報処理端末１１０、応募者情報処理端末１３０、管理者情報処理端末１５０を通信可能に接続するネットワークである。通信方法には既存の様々な技術を用いることができる。有線であっても無線であってもよく、ＷＡＮ（Ｗｉｄｅ  Ａｒｅａ  Ｎｅｔｗｏｒｋ）であってもＬＡＮ（Ｌｏｃａｌ  Ａｒｅａ  Ｎｅｔｗｏｒｋ）であってもよい。
【００２２】
管理者情報処理端末１５０は、情報処理装置１２０の管理を行う管理者の情報処理端末である。管理者情報処理端末１５０は、コンテストサイトのアドミニストレーターとしてコンテストに関する様々な設定と変更が可能である。なお、情報処理装置１２０とは通信ネットワーク１４０を介して接続されてもよい。
【００２３】
ＧＰＳ衛星１６０※は、応募者情報処理端末１３０と無線で通信可能に接続され、応募者情報処理端末１３０が、コンテンツの撮影時の撮影場所を特定する情報を付加するべく位置情報を取得するために必要な通信を行う。（※ＧＰＳ：Ｇｌｏｂａｌ  Ｐｏｓｉｔｉｏｎｉｎｇ  Ｓｙｓｔｅｍ）
【００２４】
図２は、本発明のハードウエアの構成の一例を示した構成図である。ハードウエアは、審査者情報処理端末１１０、情報処理装置１２０、応募者情報処理端末１３０および管理者情報処理端末１５０である。
【００２５】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００２６】
入力コントローラ２０５は入力デバイス２０９を制御する。なお入力デバイス２０９には、タッチパネルも含まれ、その場合は、入力デバイス２０９が表示部２１０（画像を表示する表示画面を映すための表示装置）を兼ねているケースもある。２０６はビデオカード（ＶＣ）で、表示部２１０の表示を制御する。
【００２７】
２０７はメモリコントローラで、外部メモリ２１１（ハードディスク等）とのアクセスを制御する。２０８はネットワークインターフェースカード（ＮＩＣ）で、通信ネットワーク１４０上の通信を制御する。
【００２８】
ＧＰＳコントローラ２２０は、特に応募者情報処理端末１３０に備えられており、応募者情報処理端末１３０の現在位置を特定するためのＧＰＳユニット２２１を制御する。ＧＰＳユニット２２１は、応募者情報処理端末１３０位置情報を取得するために必要な通信をＧＰＳ衛星１６０と行う。
【００２９】
カメラコントローラ２２２は、特に応募者情報処理端末１３０に備えられており、コンテンツを撮影・撮像するカメラユニット２２３を制御する。カメラユニット２２３は、コンテンツを撮影・撮像するためのユニットである。ただし、応募者情報処理端末１３０に必ず備えられていなくともよい。例えば、コンテンツ自体はＧＰＳ機能を搭載した（撮影したコンテンツに撮影場所を示すメタデータを付与できる）デジタルカメラやデジタルビデオカメラで撮影し、応募者情報処理端末１３０は、そのコンテンツを取得するような形態も考えられるからである。つまり、応募者情報処理端末１３０からコンテストに応募されるコンテンツは、撮影場所が特定できる情報と共にあればよく、応募者情報処理端末１３０自体で撮影されたものでなくともよい。
図３は、応募コンテンツ選択画面の一例を示した構成図である。
【００３０】
応募コンテンツ選択画面３００は、応募者情報処理端末１３０の表示部２１０に表示される表示画面である。応募コンテンツ選択画面３００では、はじめに、応募者情報処理端末１３０のユーザ（応募者）がコンテストに応募するための候補となるコンテンツ（候補コンテンツ）を、撮影場所が特定できる情報（候補撮影場所情報）とともに受けつける。そして、地図上に、コンテストに既に応募済みのコンテンツ（応募済コンテンツ）の撮影場所情報と共に、オブジェクトを用いて識別可能に表示する。
【００３１】
候補撮影場所情報を識別可能に示すオブジェクトは３種類ある。一つ目は、応募ができる候補コンテンツの撮影場所を示すオブジェクト、二つ目は、応募済みの候補コンテンツの撮影場所を示すオブジェクト、三つ目は、応募条件の撮影場所の範囲外で撮影されていて、応募ができない旨を示したオブジェクトである。
【００３２】
そして、応募者情報処理端末１３０は、地図上に表示された候補撮影場所情報のオブジェクトを通じ、対応する候補コンテンツをコンテストに応募するための応募コンテンツとして受付ける。
【００３３】
候補コンテンツ選択表示ボタン３０１は、図８に示すようなコンテストにする候補のコンテンツ（候補コンテンツ）をユーザから受付ける画面を立ち上げるボタンである。
【００３４】
地図領域３０２は、情報処理装置１２０  で管理されている地図情報（他のサイトから地図情報を引いてくるケースも含む）に基づく地図を表示する領域である。応募条件の撮影場所の範囲が識別可能な地図上に、既にコンテストに応募済のコンテンツの撮影場所と、候補コンテンツの撮影場所とが識別可能に表示される。
【００３５】
応募可候補オブジェクト３０３は、コンテストに応募コンテンツとして応募ができる（撮影場所の応募条件を満たしている）候補コンテンツの撮影場所の情報（撮影場所情報）を示すオブジェクトである。応募可候補オブジェクト３０３に対応する候補コンテンツの撮影場所は、応募条件の範囲内のものである。
【００３６】
また、応募可候補オブジェクト３０３は、ユーザからの選択（クリックやタッチなど）を通じ、対応する候補コンテンツを、コンテストに応募するコンテンツ（応募コンテンツ）として受付ける。受付については、このオブジェクトの押下を以て、情報処理装置１２０へ応募コンテンツとして送信してもよい。しかし、図４に示すように、応募画像の詳細情報を更に受付ける画面に遷移し、題名、投稿者名、連絡先等の詳細情報の入力を受付けてから投稿できるように設けてあるとより好適である。
【００３７】
応募不可候補オブジェクト３０４も、候補コンテンツの撮影場所の情報（撮影場所情報）を示すオブジェクトである。ただし、応募可候補オブジェクト３０３とは異なり、対応する候補コンテンツの撮影場所は、撮影条件の範囲外のものである。そして、コンテストへの応募ができない候補画像である旨を識別可能に表示した（例えば「応募不可」など）オブジェクトである。
【００３８】
応募済候補オブジェクト３０５は、候補コンテンツの撮影場所の情報（撮影場所情報）を示すオブジェクトで、応募可候補オブジェクト３０３と同じく、対応する候補コンテンツの撮影場所は、撮影条件の範囲内のものである。しかしながら、応募可候補オブジェクト３０３とは異なり、対応する候補コンテンツは既に応募済であり、コンテストへ応募済の候補画像である旨を識別可能に表示した（例えば「応募済」など）オブジェクトである。
撮影場所無候補オブジェクト３０６は、撮影場所の情報のない候補コンテンツに対応したオブジェクトである。
【００３９】
３０３乃至３０６のオブジェクトは、地図でドラッグなどにより移動する指示を受付けた際には、対応する候補コンテンツの撮影場所が移動先の地図上の場所に書換わるよう設けていてもよい。具体的には、移動先の地図上の場所を撮影場所として候補コンテンツ管理データテーブル５００−２の候補コンテンツ撮影場所５０６の情報が書き換えられる。そして、上書きされた撮影場所情報に応じたオブジェクトに切り替わる。例えば、「応募可公園」が、応募条件管理データテーブル５００−３で管理しているフォトコンテストの撮影場所の条件である「Ｎ３８°０′００″〜２５″Ｅ１４２°０′００″〜２５″」の領域だったとする。この場合、応募可候補オブジェクト３０３を応募可公園の外にドラッグすると、撮影場所は応募条件の領域の外に書き換えられるので、オブジェクトは応募不可候補オブジェクト３０４に変化する。反対に、応募不可候補オブジェクト３０４や撮影場所無候補オブジェクト３０６を応募可公園の中にドラッグすると、撮影場所は応募条件の領域の中に書き換えられるので、オブジェクトは応募可候補オブジェクト３０３に切り替わる。
【００４０】
応募済オブジェクト３０７は、コンテストに応募済のコンテンツ（応募済コンテンツ）の撮影場所を示すオブジェクトである。応募済オブジェクト３０７は、ユーザ以外の応募済コンテンツの撮影場所や、候補コンテンツではないユーザの候補済コンテンツの撮影場所を示している。応募済オブジェクト３０７は、応募済コンテンツのうち、撮影場所公開可否情報５２０（詳細は後述）が「公開」となっているものの撮影場所を示す。そして、「非公開」となっている応募済コンテンツの撮影場所は示さない。
【００４１】
このように、先に応募している他の応募者のコンテンツの撮影場所を識別可能に表示するよう設けている。その結果、応募コンテンツ選択画面３００を通じてコンテストにコンテンツを応募しようとする応募者は、自分の候補コンテンツが、他の応募者とバッティングしやすい撮影場所で撮影されたものであるのか否かが判断できるようになる。つまり、他の応募者の応募済コンテンツの撮影位置が、応募コンテンツを選択する応募者の選択肢を広げることになる。この場合、応募者の選択肢は大きく２つ考えられる。一つは、バッティングしやすい撮影場所であると知りつつも、あえてバッティングする撮影場所で撮影した候補コンテンツを応募コンテンツとして応募する選択肢である。もう一つは、他の応募者とのバッティングを回避し、別の撮影場所で撮影した候補コンテンツを応募コンテンツとして応募する選択肢である。
【００４２】
そして、このように他の応募者とバッティングしやすい撮影場所を応募者が知ることで生まれる選択肢によって、同じ撮影場所で撮影された応募コンテンツが集中ことを緩和することができる。
【００４３】
応募コンテンツ選択画面３００が応募者情報処理端末１３０に表示される時点では、コンテストの応募作品の受付けを締切っていない。そのため、コンテストの各応募者の公平性の観点から、コンテンツ（静止画や動画）自体は非公開として撮影場所情報を公開する形が好ましい。
【００４４】
しかし、後から応募する応募者の参考情報を増やすことを目的とし、応募済オブジェクト３０７の選択を受付けると、例えば投稿されたコンテンツが表示されるよう設けたり、オブジェクト内にコンテンツのサムネイル画像が含まれるよう設けたりしてもよい。
【００４５】
応募可能領域３０８は、応募条件に基づいて地図領域３０２に表示されたコンテストに応募できるコンテンツの撮影場所を示した領域である。つまり、応募可候補オブジェクト３０３は、この領域内に対応する撮影場所で撮影された候補コンテンツの撮影場所を示している。
【００４６】
ログアウトボタン３０９は、押下の受けつけを通じて、応募コンテンツ選択画面３００を通じた応募コンテンツの応募作業をログアウトして終了し、この審査画面を閉じる指示を受付けるボタンである。
図４は、応募コンテンツの詳細情報の入力を受付ける入力画面の一例を示す構成図である。
【００４７】
応募コンテンツ情報入力受付画面４００は、応募者情報処理端末１３０の表示部２１０に表示され、画面を表示してユーザからフォトコンテストに応募する応募コンテンツの詳細情報の入力を、応募コンテンツ詳細情報入力オブジェクト４１１を通じて受付ける画面である。
【００４８】
応募コンテンツ表示領域４０１は、応募コンテンツ選択画面３００の応募可候補オブジェクト３０３の選択を通じ、応募コンテンツとしてユーザ受付けたコンテンツを表示する領域である。
ファイル名表示領域４０２は、応募コンテンツのファイル名を表示する領域である。
撮影場所表示領域４０３は、応募コンテンツの撮影場所を表示する領域である。
撮影日時表示領域４０４は、応募コンテンツの撮影日時を表示する領域である（図のように撮影日でもよい）。
題名入受付領域４０５は、応募コンテンツの題名の入力をユーザから受けつける領域である。
コメント入受付領域４０６は、応募コンテンツのコメントの入力をユーザから受けつける領域である。
応募者入力受付領域４０７は、応募コンテンツの応募者の名前の入力をユーザから受けつける領域である。
応募者連絡先入力受付領域４０８は、応募コンテンツの応募者の連絡先の入力をユーザから受けつける領域である。
【００４９】
補足になるが、応募者入力受付領域４０７にてユーザより入力を受付ける応募者の名前や、応募者連絡先入力受付領域４０８にてユーザより入力を受付ける応募者の連絡先は、予め登録してあって、ユーザを識別して入力されるように設けられていてもよい。具体的には、例えば、ログイン時にユーザ認証をした上で、登録情報を呼び出して記載するといった方法が考えられる。
【００５０】
応募ボタン４０９は、応募コンテンツ表示領域４０１に表示されているコンテンツを、コンテストに応募する応募コンテンツとして情報処理装置１２０に送信する指示を受付けるボタンである。応募ボタン４０９の押下を受けつけると、応募者情報処理端末１３０は、応募コンテンツ情報入力受付画面４００で入力を受付けた情報と共に応募コンテンツを、情報処理装置１２０に送信する。
【００５１】
撮影場所公開選択ボタン４１０は、応募済コンテンツとなった候補コンテンツの撮影場所を、他の応募者に公開（地図領域３０２に応募済オブジェクト３０７として表示）するか否かの要望を受けつけるための選択ボタンである。
図５は、情報処理装置１２０が備えるデータテーブルの一例を示した構成図である。
【００５２】
ログインデータテーブル５００−１は、コンテストのサービスを受ける際に、ユーザログインが必要な場合に用いるログインＩＤ、パスワード、そして、応募者名となるユーザの名前や連絡先を管理するデータテーブルである。ログイン不要なコンテストの場合には、このテーブルはなくともよい。
ログインＩＤ５０１は、ログインをする際にユーザを識別するＩＤである。
パスワード５０２は、ログインＩＤ５０１に対応するパスワードである。
【００５３】
ユーザ名５０３は、ログインＩＤ５０１に対応するユーザの名前である。ログインユーザが応募コンテンツ情報入力受付画面４００を立ち上げた際に、応募者入力受付領域４０７に入力される値として扱ってもよい。
【００５４】
連絡先５０４は、ログインＩＤ５０１に対応するユーザの連絡先である。具体的には例えば、住所や電話番号、メールアドレスなどが考えられる。ログインユーザが応募コンテンツ情報入力受付画面４００を立ち上げた際に、応募者連絡先入力受付領域４０８に入力される値として扱ってもよい。
応募条件管理データテーブル５００−３は、コンテストの、応募条件を管理するデータテーブルである。
フォトコンＩＤ５１０は、コンテストの種類を識別するＩＤである。
【００５５】
撮影場所条件５１１は、コンテストに応募されるコンテンツの撮影場所に関する応募条件である。どのような範囲が、応募条件の撮影場所であるかを特定可能な情報が管理されている（例えば緯度と経度で特定される領域など）。
撮影期間条件５１２は、コンテストに応募されるコンテンツの撮影時期に関する応募条件である。
【００５６】
候補コンテンツ管理データテーブル５００−２は、コンテストに応募するための候補となるコンテンツ（候補コンテンツ）やその名称、撮影場所などの情報などを管理するデータテーブルである。また、ステップＳ６１２（詳細は後述）の候補コンテンツの判定結果も併せて管理する。
【００５７】
候補コンテンツ５０５は、ステップＳ６１１（詳細は後述）で受付けた候補コンテンツを管理する領域である。候補コンテンツを受けつけない場合は、コンテンツの名称だけを管理してもよい。
候補コンテンツ撮影場所５０６は、候補コンテンツ５０５の撮影場所を特定する情報である。
候補コンテンツ撮影日時５０７は、候補コンテンツ５０５の撮影日時を特定する情報である。
条件判定結果５０８は、ステップＳ６１２（詳細は後述）の候補コンテンツの判定結果特定する情報である。
格納場所５０９は、候補コンテンツ５０５の応募者情報処理端末１３０の格納場所を特定する情報である。
【００５８】
応募コンテンツ管理データテーブル５００−４は、コンテストに応募するために受けつけた応募コンテンツを、応募済コンテンツとして管理するとともに、その撮影場所、撮影日時、応募者名、連絡先、題名、コメント等の情報を管理するデータテーブルである。また、このデータテーブルは、ステップＳ６１２の判定の際にも用いるデータテーブルでもある。
応募コンテンツ５１３は、コンテストへ応募された応募コンテンツである。コンテンツは、ステップＳ６１６（詳細は後述）にて受け付けている。
【００５９】
応募コンテンツ撮影場所５１４は、応募コンテンツ５１３の撮影場所を特定する情報である。応募コンテンツとして受けつけた候補コンテンツの撮影場所を特定する情報（撮影場所情報）が、この領域で管理される。
【００６０】
応募コンテンツ撮影日時５１５は、応募コンテンツ５１３の撮影日時を特定する情報である。応募コンテンツとして受けつけた候補コンテンツの撮影日時を特定する情報（撮影日時情報）が、この領域で管理される。
応募コンテンツ題名５１６は、題名入受付領域４０５で受付けた応募コンテンツ５１３の題名を管理する領域である。
応募コンテンツコメント５１７は、コメント入受付領域４０６で受付けた応募コンテンツ５１３のコメントを管理する領域である。
【００６１】
応募コンテンツ応募者名５１８は、応募者入力受付領域４０７で受付けた応募コンテンツ５１３のコメントを管理する領域である。ログインで、ユーザ管理されるコンテストであれば、ログインデータテーブル５００−１で管理されているログインＩＤに紐づいたユーザ名５０３が、応募コンテンツ応募者名５１８となってもよい。
【００６２】
応募コンテンツ連絡先５１９は、応募者連絡先入力受付領域４０８で受付けた応募コンテンツ５１３のコメントを管理する領域である。ログインで、ユーザ管理されるコンテストであれば、ログインデータテーブル５００−１で管理されているログインＩＤに紐づいた連絡先５０４が、応募コンテンツ連絡先５１９となってもよい。
【００６３】
撮影場所公開可否情報５２０は、対応する応募済みコンテンツの撮影場所の情報（撮影場所情報）を、地図領域３０２に応募済オブジェクト３０７として公開するか否かを示す情報である。地図領域３０２に応募済オブジェクト３０７として公開するか否かの指示は、ステップＳ６１４−２にて撮影場所公開選択ボタン４１０で受付けられ、ステップＳ６１５−２にて応募コンテンツや指定特定情報と共に送信される。
図６は、本発明のメインフローの一例を示した構成図である。
【００６４】
フローは具体的には、ＣＰＵ２０１が外部メモリに記憶された制御プログラムをＲＡＭ２０３にロードして実行することにより行われるものであるが、簡易な表現とすべく応募者情報処理端末１３０や情報処理装置１２０を主体として説明する。
ステップＳ６０１では、応募者情報処理端末１３０は、情報処理装置１２０に、ログイン画面９００の送信を要求する。
ステップＳ６０２では、情報処理装置１２０は、応募者情報処理端末１３０からの送信要求を受付けて、ログイン画面９００を送信する。
【００６５】
ステップＳ６０３では、応募者情報処理端末１３０は、情報処理装置１２０からログイン画面９００を受信して、表示部２１０に表示をする。また、ログイン画面９００を通じてユーザからログインＩＤとパスワードの入力を受付ける。
ステップＳ６０４では、応募者情報処理端末１３０は、情報処理装置１２０に、ログイン要求を行うとともに、ログインＩＤとパスワードを送信する。
ステップＳ６０５では、情報処理装置１２０は、応募者情報処理端末１３０からのログイン要求、ログインＩＤ、パスワードを受付ける。
【００６６】
ステップＳ６０６では、情報処理装置１２０は、ステップＳ６０５で受付けたＩＤとパスワードに基づくログイン認証を行う。認証は、ログインデータテーブル５００−１に基づいて正しいユーザＩＤとパスワードの組合せであるか否かで行う。そして、ログインＯＫであると判定した場合にはステップＳ６０７に遷移し、一方、ログインＮＧであると判定した場合には、ステップＳ６０８に遷移する。
ステップＳ６０７では、情報処理装置１２０は、地図領域３０２に応募済オブジェクト３０７が表示される応募コンテンツ選択画面３００を生成し、送信する。
ステップＳ６０８では、情報処理装置１２０は、エラー処理を行う。
ステップＳ６０９では、応募者情報処理端末１３０は、情報処理装置１２０から応募コンテンツ選択画面３００を受信して表示部２１０に表示する。
【００６７】
ステップＳ６１０では、応募者情報処理端末１３０は、候補コンテンツ選択表示ボタン３０１の押下を受付けて、候補コンテンツ指定受付画面８００を更に表示し、候補コンテンツ指定受付画面８００を通じてユーザから候補コンテンツの指定を受けつける。そして、受付けた候補コンテンツに対応する撮影場所情報を含む候補コンテンツの関連情報（候補コンテンツ管理データテーブル５００−２で管理する情報）を送信する（この際、候補コンテンツも共に送信してもよい）。
ステップＳ６１１では、情報処理装置１２０は、候補コンテンツ５０５の関連情報および候補コンテンツ５０５を受信する。このように、情報処理装置１２０は、情報処理端末から、コンテストに応募するための候補コンテンツの撮影場所を示す情報である候補撮影場所情報を受けつける候補撮影場所情報受付手段を備えている。
【００６８】
ステップＳ６１２では、情報処理装置１２０は、ステップＳ６１０で受付けた候補コンテンツの関連情報に基づいて、それぞれの候補コンテンツが応募可能なコンテンツか否か、応募済みの画像であるか否かを判定、選別する。選別の詳細は図７で述べる。
【００６９】
ステップＳ６１３では、情報処理装置１２０は、候補コンテンツの撮影場所をステップＳ６１２の選別結果に対応するオブジェクトを用いて、地図領域３０２に、応募コンテンツ選択画面３００を生成し、応募者情報処理端末１３０に送信する。本実施例では、「対応するオブジェクト」とは具体的には、応募可候補オブジェクト３０３、応募不可候補オブジェクト３０４、応募済候補オブジェクト３０５、撮影場所無候補オブジェクト３０６、応募済オブジェクト３０７である。このように、情報処理装置１２０は、地図情報に基づく地図上に、応募済コンテンツの撮影場所情報と候補コンテンツのコの撮影場所情報（候補撮影場所情報）とを識別可能に表示するための表示画面を生成する生成手段を備えている。
ステップＳ６１４−１では、応募者情報処理端末１３０は、情報処理装置１２０から応募コンテンツ選択画面３００を受信し表示部２１０に表示する。
【００７０】
ステップＳ６１４−２では、応募者情報処理端末１３０は、応募コンテンツ選択画面３００の応募可候補オブジェクト３０３の選択を通じて、ユーザから応募コンテンツの選択を受け受付ける。また、応募可候補オブジェクト３０３の選択に基づいて、情報処理装置１２０に応募コンテンツ情報入力受付画面４００の送付を要求し受付けて表示し（不図示）、表示画面を通じて応募コンテンツの詳細情報を受付ける。
【００７１】
ステップＳ６１５−１では、応募者情報処理端末１３０は、ステップＳ６１４で指定を受付けたか否かの判定を行う。受付けたと判定した場合には、ステップＳ６１５−２に遷移し、受付けていないと判定した場合には、ステップＳ６１９に遷移する。
【００７２】
ステップＳ６１５−１では、応募者情報処理端末１３０は、ステップＳ６１４で指定を受付けた指定に基づく応募コンテンツを送信する。なお、ステップＳ６１０で既に候補コンテンツのデータを送信済みである場合には、候補コンテンツのうちいずれを応募コンテンツとするかを特定する情報（指定特定情報）のみを送信してもよい。また、この際にステップＳ６１４−２で応募コンテンツ情報入力受付画面４００を通じて受付けた応募コンテンツの関連情報も併せて送信する。
【００７３】
ステップＳ６１６では、情報処理装置１２０は、応募者情報処理端末１３０からの送信内容を受信し、受信内容に基づく応募コンテンツを応募済みコンテンツとして関連情報と共に応募コンテンツ管理データテーブル５００−４に登録する。このように、情報処理装置１２０は、応募者情報処理端末１３０の表示画面を通じ、表示された候補撮影場所情報（応募可候補オブジェクト３０３）を、コンテストに応募するための応募コンテンツとして受付ける応募コンテンツ指定受付手段を備えている。
【００７４】
ステップＳ６１７では、応募者情報処理端末１３０は、ステップＳ６１６の結果に基づく応募コンテンツ選択画面３００を生成し（ステップＳ６１２、ステップＳ６１３に準ずる）、応募コンテンツを受付けた旨の通知と共に応募者情報処理端末１３０に送信する。
ステップＳ６１８では、応募者情報処理端末１３０は、情報処理装置１２０からの通知と応募コンテンツ選択画面３００とを受信し表示部２１０に表示する。
【００７５】
ステップＳ６１９では、応募者情報処理端末１３０は、候補コンテンツ選択表示ボタン３０１の押下を通じた候補コンテンツの変更を受付けたか否かを判定する。受付けたと判定した場合には、ステップＳ６１０に遷移し、一方、受付けなかったと判定した場合には、ステップＳ６１９に遷移する。
【００７６】
ステップＳ６２０では、応募者情報処理端末１３０は、ログアウトボタン３０９の押下受け付けを通じて、ログアウトを行う要求を受付けたか否かの判定を行う。そして、要求を受付けたと判定した場合にはステップＳ６１に遷移し、一方、要求を受付けていないと判定した場合にはステップＳ６１４−２に遷移する。
ステップＳ６２１では、応募者情報処理端末１３０は、情報処理装置１２０にログアウトの要求を行う。
ステップＳ６２２では、情報処理装置１２０は、ログアウトの要求を受付けて、ログアウト処理を行ない、完了した旨を応募者情報処理端末１３０に通知する。
ステップＳ６２３では、応募者情報処理端末１３０は、情報処理装置１２０からのログアウト処理が加療した旨の通知を受信する。
図７は、本発明のサブフローの一例を示した構成図である。
【００７７】
本フローは、ステップＳ６１１で受付けた候補コンテンツの関連情報（撮影場所）に基づいて、対応する候補コンテンツがコンテストに応募するコンテンツとして応募条件を満たしたものであるか、あるいは応募済みであるかを一つずつ判定するループである。したがって、例えば５つの候補コンテンツ受付けた場合、５回ループすることになる。
【００７８】
ステップＳ７０１では、情報処理装置１２０は、判定対象の候補コンテンツが応募済みであるか否かを判定する。そして、応募済であると判定された場合にはステップＳ７０６に遷移し、一方、応募済ではないと判定された場合にはステップＳ７０２に遷移する。判定は、候補コンテンツ管理データテーブル５００−２と、応募コンテンツ管理データテーブル５００−４とを使って行う。例えば、候補コンテンツ管理データテーブル５００−２の「００５．ｊｐｇ」は、応募コンテンツ管理データテーブル５００−４にも既に同じ応募者の「００５．ｊｐｇ」があるため、「応募済」と判定される。同様に、候補コンテンツ管理データテーブル５００−２の「００１．ｊｐｇ」は、応募コンテンツ管理データテーブル５００−４には存在しないので、「応募済みではない」と判定される。
【００７９】
ステップＳ７０２−１では、情報処理装置１２０は、判定対象の候補コンテンツがコンテストの応募条件の撮影場所で撮影された画像であるか否かを判定する。そして、応募条件の撮影場所で撮影されたと判定された場合にはステップＳ７０３に遷移し、一方、応募条件の撮影場所で撮影されていないと判定された場合にはステップＳ７０２−２に遷移する。判定は、候補コンテンツ管理データテーブル５００−２と、応募条件管理データテーブル５００−３とで行う。例えば、応募条件管理データテーブル５００−３の応募条件では、撮影場所は「Ｎ３８°０′００″〜２５″Ｅ１４２°０′００″〜２５″」である。そして、候補コンテンツ管理データテーブル５００−２の「００１．ｊｐｇ」は、撮影場所が「Ｎ３８°０´０５″Ｅ１４２°０´０５″」である。つまり、この候補コンテンツは、応募条件の範囲内で撮影されている、と言える。したがって、判定は「応募条件の撮影場所である」となる。また、候補コンテンツ管理データテーブル５００−２の「００４．ｊｐｇ」は、撮影場所が「Ｎ３８°０´３５″Ｅ１４２°０´３５″」応募条件の範囲内で撮影されていない、と言える。したがって、判定は「応募条件の撮影場所ではない」となる。
【００８０】
ステップＳ７０２−２では、情報処理装置１２０は、判定対象の候補コンテンツがコンテストの応募条件の撮影場所を示す撮影場所情報が、あるか否かを判定する。そして、あると判定された場合にはステップＳ７０５に遷移し、一方、ないと判定された場合にはステップＳ７０６に遷移する。
【００８１】
ステップＳ７０３では、情報処理装置１２０は、判定対象の候補コンテンツがコンテストの応募条件の撮影日時で撮影された画像であるか否かを判定する。そして、応募条件の撮影日時で撮影されたと判定された場合にはステップＳ７０４に遷移し、一方、応募条件の撮影日時で撮影されていないと判定された場合にはステップＳ７０４に遷移する。判定は、候補コンテンツ管理データテーブル５００−２と、応募条件管理データテーブル５００−３とで行う。
【００８２】
ステップＳ７０４では、情報処理装置１２０は、対象の候補コンテンツが応募可能である（応募条件を満たしている）とし、候補コンテンツ管理データテーブル５００−２の条件判定結果５０８に「応募可」と記憶する。そして、この情報はステップＳ６１３で応募コンテンツ選択画面３００を生成する際に、応募可候補オブジェクト３０３を表示させるトリガーとなる。
【００８３】
ステップＳ７０５では、情報処理装置１２０は、対象の候補コンテンツが応募不可能である（応募条件を満たしていない）とし、候補コンテンツ管理データテーブル５００−２の条件判定結果５０８に「応募不可」と記憶する。そして、この情報はステップＳ６１３で応募コンテンツ選択画面３００を生成する際に、応募不可候補オブジェクト３０４を表示させるトリガーとなる。
【００８４】
ステップＳ７０５では、情報処理装置１２０は、対象の候補コンテンツの撮影場所情報はないとし、候補コンテンツ管理データテーブル５００−２の条件判定結果５０８に「撮影場所なし」と記憶する。そして、この情報はステップＳ６１３で応募コンテンツ選択画面３００を生成する際に、撮影場所無候補オブジェクト３０６を表示させるトリガーとなる。
【００８５】
ステップＳ７０７では、情報処理装置１２０は、対象の候補コンテンツが応募済であるとし、候補コンテンツ管理データテーブル５００−２の条件判定結果５０８に「応募済」と記憶する。そして、この情報はステップＳ６１３で応募コンテンツ選択画面３００を生成する際に、応募済候補オブジェクト３０５を表示させるトリガーとなる。
図８は、候補コンテンツを選択する画面の一例を示した構成図である。
【００８６】
候補コンテンツ指定受付画面８００は、候補コンテンツ選択表示ボタン３０１の押下受付によって表示される表示画面であり、ユーザから候補コンテンツを受けつけるための表示画面である。
アドレス表示領域８０１は、現在、どのフォルダを開いているかをユーザに識別表示する領域である。
【００８７】
選択対象コンテンツ８０２は、候補コンテンツとして選択可能なコンテンツである。図８は、「００１．ｊｐｇ」乃至「００５．ｊｐｇ」が、選択され、アクティブ状態になっていることを示している。
開くボタン８０３は、選択対象コンテンツ８０２のうち、選択された画像を候補コンテンツとして決定する旨の指示をユーザから受けつけるボタンである。
図９は、ログイン画面の一例を示した構成図である。
【００８８】
ログイン画面９００は、応募者情報処理端末１３０に表示される表示画面であり、あらかじめログイン登録をしているユーザから、コンテストに参加するためのログインＩＤとパスワードの入力とログイン要求とを受付けるための表示画面である。
ログインＩＤ入力領域９０１は、ログインＩＤの入力を受付ける領域である。
パスワード入力領域９０２は、パスワードの入力を受付ける領域である。
【００８９】
ログインボタン９０３は、ログインＩＤ入力領域９０１とパスワード入力領域９０２との情報に基づいて、情報処理装置１２０にログイン要求をする指示をユーザから受けつけるボタンである。
図１０は、コンテストの「入賞作品の撮影場所」を地図上に一覧表示する仕組みの一例を示した構成図である。
【００９０】
この図に示されるコンテンツの撮影場所情報を示すオブジェクトは、「入賞作品」に対応したものである。したがってこの図にあるオブジェクト付の地図は、コンテスト応募コンテンツの受付けが完了し、コンテンツの審査が終了して入賞作品が確定した後でなければ応募者に公開されることはない。
【００９１】
入賞作品撮影場所オブジェクト１００１は、入賞作品の撮影場所を地図上に識別可能に表示したオブジェクトである。このオブジェクトは、選択を受けつけると、入賞作品が表示されるよう設けられている。
【００９２】
以上説明したように、本発明は、コンテストの応募コンテンツを受けつける画面上に、応募済コンテンツの撮影場所と、候補コンテンツの撮影場所とを識別可能にユーザに表示する仕組みを設けている。そして、画面に表示される候補コンテンツの撮影場所を示す情報（例えばオブジェクト）の指定に基づいて、対応するコンテンツをコンテストに応募する応募コンテンツとして受けつけるよう設けている。このように設けることにより、応募者となるユーザは、応募済の他の応募者のコンテンツの撮影場所情報を知り得ることができる。このため、この仕組みを備えないコンテンツの受付けの仕組みと比べ、ユーザ（応募者）は撮影場所の集中している意味で競争率の高くないコンテンツの投稿を行いやすくなるのである。
【００９３】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９４】
この場合、記録媒体から読み出されたプログラム自体が本発明の新規な機能を実現することになり、そのプログラムを記憶した記録媒体は本発明を構成することになる。
【００９５】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９６】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００９９】
１１０    審査者情報処理端末
１２０    情報処理装置
１３０    応募者情報処理端末
１４０    通信ネットワーク
１５０    管理者情報処理端末
１６０    ＧＰＳ衛星
２０１    ＣＰＵ
２０２    ＲＯＭ
２０３    ＲＡＭ
２０４    システムバス
２１１    外部メモリ
２２１    ＧＰＳ受信機
２２２    カメラコントローラ
２２３    カメラユニット
３００    応募コンテンツ選択画面
３０１    候補コンテンツ選択表示ボタン
３０２    地図領域
３０３    応募可候補オブジェクト
３０４    応募不可候補オブジェクト
３０５    応募済候補オブジェクト
３０６    撮影場所無候補オブジェクト
３０７    応募済オブジェクト
３０８    応募可能領域
３０９    ログアウトボタン
４００    応募コンテンツ情報入力受付画面
４１１    応募コンテンツ詳細情報入力オブジェクト
４０１    応募コンテンツ表示領域
４０２    ファイル名表示領域
４０３    撮影場所表示領域
４０４    撮影日時表示領域
４０５    題名入受付領域
４０６    コメント入受付領域
４０７    応募者入力受付領域
４０８    応募者連絡先入力受付領域
４０９    応募ボタン
４１０    撮影場所公開選択ボタン
５００−１    ログインデータテーブル
５０１    ログインＩＤ
５０２    パスワード
５０３    ユーザ名
５０４    連絡先
５００−３    応募条件管理データテーブル
５１０    フォトコンＩＤ
５１１    撮影場所条件
５１２    撮影期間条件
５００−２    候補コンテンツ管理データテーブル
５０５    候補コンテンツ
５０６    候補コンテンツ撮影場所
５０７    候補コンテンツ撮影日時
５０８    条件判定結果
５０９    格納場所
５００−４    応募コンテンツ管理データテーブル
５１３    応募コンテンツ
５１４    応募コンテンツ撮影場所
５１５    応募コンテンツ撮影日時
５１６    応募コンテンツ題名
５１７    応募コンテンツコメント
５１８    応募コンテンツ応募者名
５１９    応募コンテンツ連絡先
５２０    撮影場所公開可否情報
８００    候補コンテンツ指定受付画面
８０１    アドレス表示領域
８０２    選択対象コンテンツ
８０３    開くボタン
９０１    ログインＩＤ入力領域
９０２    パスワード入力領域
９０３    ログインボタン
１００１  入賞作品撮影場所オブジェクト
【図１】
2017120487.tif 000003
【図２】
2017120487.tif 000004
【図３】
2017120487.tif 000005
【図４】
2017120487.tif 000006
【図５】
2017120487.tif 000007
【図６】
2017120487.tif 000008
【図７】
2017120487.tif 000009
【図８】
2017120487.tif 000010
【図９】
2017120487.tif 000011
【図１０】
2017120487.tif 000012